(57)【要約】回転駆動される支持部に複数の羽根の根元部が取り付けられる天井扇風機において、線材により形成されたループ部を有する落下防止用部材を備え、羽根の根元部には落下防止用部材のループ部が貫通する貫通孔が設けられ、支持部には落下防止用部材のループ部と係合可能な係合部が設けられ、落下防止用部材のループ部が支持部の係合部に係合可能に配置され、支持部と羽根との取り付け部分が破損したときに、ループ部が支持部の係合部に係合するとともに、羽根の根元部の内縁が支持部の外縁よりも外側に位置した状態にて、落下防止用部材のループ部を介して羽根が支持部に保持される。
2016051665.tif 000002
【特許請求の範囲】
【請求項１】
上部が天井に支持される連結部と、
連結部の下部に固定された固定子と、固定子の周囲を回転駆動される回転子とを有する回転駆動部と、
回転駆動部により回転子の中心回りに回動される複数の羽根と、
回転子に固定されるとともに複数の羽根の根元部が載置された状態で取り付けられる支持部と、
羽根と支持部とに係合可能に線材により形成されたループ部を有する落下防止用部材と、を備え、
羽根の根元部には落下防止用部材のループ部が貫通する貫通孔が設けられ、
支持部には落下防止用部材のループ部と係合可能な係合部が設けられ、
支持部に羽根が取り付けられた状態において、落下防止用部材のループ部が支持部の係合部に係合可能に配置され、支持部と羽根との取り付け部分が破損したときに、ループ部が支持部の係合部に係合するとともに、羽根の根元部の内縁が支持部の外縁よりも外側に位置した状態にて、落下防止用部材のループ部を介して羽根が支持部に保持される、天井扇風機。
【請求項２】
支持部に突起部が係合部として形成され、羽根の根元部には羽根の長さ方向に沿って延在しかつ根元部の内縁において開放されるとともに、突起部に対してスライド移動可能に係合する開放溝が形成され、
支持部に羽根が取り付けられた状態において、支持部の突起部が羽根の根元部の開放溝に係合されるとともに、突起部の周囲に落下防止用部材のループ部が配置される、請求項１に記載の天井扇風機。
【請求項３】
羽根の根元部に設けられた締結孔を通して締結部材により羽根が支持部に取り付けられ、締結孔は、落下防止用部材のループ部が貫通する貫通孔とは別に設けられた孔である、請求項１または２に記載の天井扇風機。
【請求項４】
羽根の根元部の貫通孔は、羽根の幅方向中心よりシフトされた位置に配置されている、請求項１から３のいずれか１つに記載の天井扇風機。
【請求項５】
羽根の根元部の貫通孔は羽根の長さ方向に沿って延在する長孔であり、支持部に羽根が取り付けられた状態において、長孔における羽根の長さ方向外方側の開口部分に落下防止用部材のループ部が貫通している、請求項１から４のいずれか１つに記載の天井扇風機。
【請求項６】
落下防止用部材のループ部は線材の非連続部分を含み、ループ部が羽根の厚み方向に弾性変形することで羽根の表裏面間を挟んで解除可能に羽根に固定されるクリップ機能を有する、請求項１から５のいずれか１つに記載の天井扇風機。
【請求項７】
羽根の根元部の内縁に、落下防止用部材の線材の一端が挿入されて係合する切り欠き部が設けられている、請求項６に記載の天井扇風機。
【請求項８】
羽根の裏面には、長手方向に沿って延在する複数の溝部が設けられ、
羽根の根元部の内縁に設けられた切り欠き部に挿入された落下防止用部材の線材の一端は、羽根の溝部内に沿って配置されて溝部に係合されている、請求項７に記載の天井扇風機。
【請求項９】
落下防止用部材は、羽根の根元部の貫通孔を貫通する第１のループ部と、支持部の係合部に係合可能な第２のループ部とを備え、第１のループ部と第２のループ部とが１本の線材により連なって形成されている、請求項１から８のいずれか１つに記載の天井扇風機。
【発明の詳細な説明】
【技術分野】
【０００１】
本発明は、天井扇風機に関するものである。
【背景技術】
【０００２】
従来、天井から吊り下げられて使用される天井扇風機としては、様々な種類のものが知られている。例えば、従来の天井扇風機は、上部が天井に支持される連結部と、連結部の下部に取り付けられた回転駆動部と、回転駆動部により回動される複数の羽根と、複数の羽根の根元部が載置された状態で取り付けられる支持部とを備える。回転駆動部は、連結部に固定された固定子と、固定子の周囲を回転駆動される回転子とを有する。支持部は回転子に固定されており、回転子が回転駆動されることにより、支持部とともに支持部に取り付けられたそれぞれの羽根が回動される。【０００３】
このような構成の従来の天井扇風機では、万が一羽根が根元部にて破損した場合であっても羽根が支持部から離脱しないように、羽根落下防止部を設けるなど、安全面での工夫がなされている（例えば、特許文献１参照）。【０００４】
ここで、従来の天井扇風機が備える羽根落下防止部の構成について、羽根１１０の根元部１１１における支持部１１２への取り付け状態を示す図１５を参照しながら説明する。図１５に示すように、羽根１１０の根元部１１１は、幅方向の両端付近に設けられたネジの締結孔１１３（２箇所）と、幅方向の中央に設けられた係止用孔１１４（１箇所）とを有する。また、支持部１１２には、上面より突出した係止部１１５が設けられている。【０００５】
図１５に示すように、羽根１１０の根元部１１１が、支持部１１２の上面に載置された状態で、２箇所の締結孔１１３を用いてネジにより締結されている。これにより、羽根１１０が支持部１１２に取り付けられた状態となる。さらに、この取り付け状態において、羽根１１０の根元部１１１の係止用孔１１４を支持部１１２の係止部１１５が貫通している。【０００６】
羽根１１０の根元部１１１において、例えば、締結孔１１３の近傍部分が破損した場合であっても、係止部１１５が係止用孔１１４に係合することにより、羽根１１０の落下が防止される。このように、図１５の従来の天井扇風機では、係止部１１５と係止用孔１１４とにより、羽根落下防止部が構成されている。
【先行技術文献】
【特許文献】
【０００７】
【特許文献１】国際公開第ＷＯ２０１３／１４５６５６号
【発明の概要】
【発明が解決しようとする課題】
【０００８】
しかしながら、羽根の根元部が破損した場合であっても、根元部の一部は支持部上に載置されているため、羽根の垂れ下がり量（下方への傾斜量）が少なく、運転時だけでなく停止時においても羽根が破損していることにユーザが気付きにくいという課題がある。【０００９】
本発明の目的は、上記従来の課題を解決するもので、万が一羽根が破損した場合に、運転時および停止時において、破損したことをユーザが明確に認識できる天井扇風機を提供することにある。
【課題を解決するための手段】
【００１０】
上記従来の課題を解決するために、本発明の一の態様にかかる天井扇風機は、上部が天井に支持される連結部と、連結部の下部に固定された固定子と、固定子の周囲を回転駆動される回転子とを有する回転駆動部と、回転駆動部により回転子の中心回りに回動される複数の羽根と、回転子に固定されるとともに複数の羽根の根元部が載置された状態で取り付けられる支持部と、羽根と支持部とに係合可能に線材により形成されたループ部を有する落下防止用部材と、を備え、羽根の根元部には落下防止用部材のループ部が貫通する貫通孔が設けられ、支持部には落下防止用部材のループ部と係合可能な係合部が設けられ、支持部に羽根が取り付けられた状態において、落下防止用部材のループ部が支持部の係合部に係合可能に配置され、支持部と羽根との取り付け部分が破損したときに、ループ部が支持部の係合部に係合するとともに、羽根の根元部の内縁が支持部の外縁よりも外側に位置した状態にて、落下防止用部材のループ部を介して羽根が支持部に保持される、ようにしたものである。
【発明の効果】
【００１１】
本発明によれば、万が一羽根が破損した場合に、運転時および停止時において、破損したことをユーザが明確に認識できる天井扇風機を提供できる。
【図面の簡単な説明】
【００１２】
【図１】本発明の実施の形態１にかかる天井扇風機の側面図
【図２】実施の形態１の天井扇風機の部分拡大図
【図３】実施の形態１の天井扇風機が備える羽根の支持部への取り付け部分の部分拡大図
【図４】実施の形態１の天井扇風機が備える落下防止用部材の斜視図
【図５】実施の形態１の天井扇風機において、羽根の支持部への取り付け部分が破損した場合に、落下防止用部材により羽根が保持されている状態の図
【図６】実施の形態１の天井扇風機において、羽根の支持部への取り付け部分が破損した場合に、落下防止用部材により羽根が保持されている状態の側面図（運転時）
【図７】実施の形態１の天井扇風機において、羽根の支持部への取り付け部分が破損した場合に、落下防止用部材により羽根が保持されている状態の側面図（停止時）
【図８】本発明の実施の形態２の天井扇風機における支持部への羽根の取り付け部分の部分拡大図
【図９】実施の形態２の天井扇風機が備える落下防止用部材の外観図
【図１０】実施の形態２の天井扇風機において、羽根の支持部への取り付け部分が破損した場合に、落下防止用部材により羽根が保持されている状態の図
【図１１】本発明の実施の形態３の天井扇風機における支持部への羽根の取り付け部分の部分拡大図
【図１２】実施の形態３の天井扇風機が備える落下防止用部材の羽根への取り付け状態の外観図
【図１３】実施の形態３の天井扇風機が備える落下防止用部材の外観図
【図１４】実施の形態３の天井扇風機において、羽根の支持部への取り付け部分が破損した場合に、落下防止用部材により羽根が保持されている状態の図
【図１５】従来の天井扇風機が備える羽根落下防止部の構成を示す図
【発明を実施するための形態】
【００１３】
第１の発明の天井扇風機は、上部が天井に支持される連結部と、連結部の下部に固定された固定子と、固定子の周囲を回転駆動される回転子とを有する回転駆動部と、回転駆動部により回転子の中心回りに回動される複数の羽根と、回転子に固定されるとともに複数の羽根の根元部が載置された状態で取り付けられる支持部と、羽根と支持部とに係合可能に線材により形成されたループ部を有する落下防止用部材と、を備え、羽根の根元部には落下防止用部材のループ部が貫通する貫通孔が設けられ、支持部には落下防止用部材のループ部と係合可能な係合部が設けられ、支持部に羽根が取り付けられた状態において、落下防止用部材のループ部が支持部の係合部に係合可能に配置され、支持部と羽根との取り付け部分が破損したときに、ループ部が支持部の係合部に係合するとともに、羽根の根元部の内縁が支持部の外縁よりも外側に位置した状態にて、落下防止用部材のループ部を介して羽根が支持部に保持される、ようにしたものである。
【００１４】
第２の発明は、第１の発明の天井扇風機において、支持部に突起部が係合部として形成され、羽根の根元部には羽根の長さ方向に沿って延在しかつ根元部の内縁において開放されるとともに、突起部に対してスライド移動可能に係合する開放溝が形成され、支持部に羽根が取り付けられた状態において、支持部の突起部が羽根の根元部の開放溝に係合されるとともに、突起部の周囲に落下防止用部材のループ部が配置される、ようにしたものである。
【００１５】
第３の発明は、第１または第２の発明の天井扇風機において、羽根の根元部に設けられた締結孔を通して締結部材により羽根が支持部に取り付けられ、締結孔は、落下防止用部材のループ部が貫通する貫通孔とは別に設けられた孔としたものである。
【００１６】
第４の発明は、第１から第３の発明のいずれか１つに記載の天井扇風機において、羽根の根元部の貫通孔は、羽根の幅方向中心よりシフトされた位置に配置されている、ようにしたものである。
【００１７】
第５の発明は、第１から第４の発明のいずれか１つに記載の天井扇風機において、羽根の根元部の貫通孔は羽根の長さ方向に沿って延在する長孔であり、支持部に羽根が取り付けられた状態において、長孔における羽根の長さ方向外方側の開口部分に落下防止用部材のループ部が貫通している、ようにしたものである。
【００１８】
第６の発明は、第１から第５の発明のいずれか１つに記載の天井扇風機において、落下防止用部材のループ部は線材の非連続部分を含み、ループ部が羽根の厚み方向に弾性変形することで羽根の表裏面間を挟んで解除可能に羽根に固定されるクリップ機能を有する、ようにしたものである。
【００１９】
第７の発明は、第６の発明の天井扇風機において、羽根の根元部の内縁に、落下防止用部材の線材の一端が挿入されて係合する切り欠き部が設けられている、ようにしたものである。
【００２０】
第８の発明は、第７の発明の天井扇風機において、羽根の裏面には、長手方向に沿って延在する複数の溝部が設けられ、羽根の根元部の内縁に設けられた切り欠き部に挿入された落下防止用部材の線材の一端は、羽根の溝部内に沿って配置されて溝部に係合されている、ようにしたものである。
【００２１】
第９の発明は、第１から第８の発明のいずれか１つに記載の天井扇風機において、落下防止用部材は、羽根の根元部の貫通孔を貫通する第１のループ部と、支持部の係合部に係合可能な第２のループ部とを備え、第１のループ部と第２のループ部とが１本の線材により連なって形成されている、ようにしたものである。
【００２２】
以下、本発明の実施の形態について、図面を参照しながら説明する。なお、この実施の形態によって本発明が限定されるものではない。
【００２３】
（実施の形態１）
本発明の実施の形態１にかかる天井扇風機１の側面図を図１に示し、天井扇風機１の部分拡大図を図２に示す。
【００２４】
図１および図２に示すように、天井扇風機１は、天井５０に固定される吊下部２と、吊下部２に係合して支持される本体部３とを備える。本体部３は、連結部４と、回転駆動部７と、支持部１０と、複数の羽根１１と、本体カバー２２とを備える。
【００２５】
連結部４は、吊下部２に係合するジョイント部５と、ジョイント部５の下部に固定されたパイプ部６とを備える。天井５０に固定された吊下部２にジョイント部５が係合して吊り下げられることにより、連結部４は吊下部２を介して天井５０に支持される。なお、天井扇風機１が吊下部２を備えず、連結部４が天井５０に直接吊り下げられて支持されるような構成であってもよい。
【００２６】
回転駆動部７は連結部４に支持されている。回転駆動部７は、パイプ部６の下部に固定される略円板形状の固定子８と、固定子８の周囲を回転する略環状の回転子９とを備える。回転駆動部７に通電されることにより、回転子９が固定子８の周囲を回転する。回転子９の周縁には支持部１０が固定されており、支持部１０は回転子９とともに一体的に回転する。回転駆動部７の下部を覆うように、本体カバー２２が取り付けられている。
【００２７】
支持部１０には、複数の羽根１１が脱着可能に取り付けられる。図２に示すように、支持部１０は、円環形状の平板部材である受け部２５と、受け部２５を下方側から支持する固定部２３とを備える。受け部２５には、羽根１１の根元部が載置されるとともに、後述するように締結部材であるネジを用いて、それぞれの羽根１１が脱着可能に受け部２５および固定部２３に固定される。
【００２８】
ここで、天井扇風機１が備える羽根１１の支持部１０への取り付け部分の部分拡大図を図３に示す。図３に示すように、羽根１１は、支持部１０の受け部２５上に載置される根元部１２と、根元部１２よりも径方向外側に位置し、空気を実質的に送風する部分である翼部１３と、根元部１２と翼部１３との間に位置する段差部１４とを備える。羽根１１は、例えば、金属板として形成され、根元部１２、翼部１３および段差部１４は一体的に形成されている。略水平状態に配置される根元部１２に対して、翼部１３が送風に適した角度に傾斜配置されるように、段差部１４において羽根１１の幅方向における段差高さが設定されている。具体的には、翼部１３は、幅方向において、羽根１１の回転方向前方側の端縁よりも後方側の端縁が低くなるように、回転方向に対して傾斜配置されている。また、羽根１１には、剛性を高めるために、長手方向に沿って延在する複数の隆起部および溝部（凸部あるいは凹部）が設けられている。
【００２９】
図３に示すように、羽根１１の根元部１２における幅方向の両端近傍には、２個の締結孔２４が設けられている。支持部１０の受け部２５には、複数の孔２６が設けられている。羽根１１の根元部１２の締結孔２４と受け部２５の孔２６とにネジ等の締結部材（図示しない）が挿入されて固定部２３に締結することで、羽根１１の根元部１２が支持部１０に載置された状態で取り付けられる。
【００３０】
次に、天井扇風機１が備える羽根１１の取り付け部分（根元部１２など）が破損した場合に、羽根１１の落下を防止するための構成について説明する。
【００３１】
図３に示すように、羽根１１の根元部１２における幅方向の中央部分には、羽根１１の長さ方向に沿って延在するとともに、根元部１２の内縁１２ａにおいて開放された開放溝３１が設けられている。開放溝３１は、根元部１２の内縁１２ａに開放された略四角形状孔である第１孔部３１ａと、第１孔部３１ａと連通され、第１孔部３１ａよりも大きな開口幅を有する略四角形状孔である第２孔部３１ｂとにより構成される。第１孔部３１ａは、第２孔部３１ｂよりも根元部１２の内縁１２ａ側に位置される。
【００３２】
支持部１０の受け部２５の外周端縁（支持部１０の外縁）２５ａ近傍には、上方に向かって突出形成された突起部３２が設けられている。突起部３２は、羽根１１の長さ方向（径方向）から見てＴ字形状を有する板状の突起部分である。突起部３２は、受け部２５に固定された略四角形板状の第１平板部３２ａと、第１平板部３２ａの上部に固定され、羽根１１の幅方向において第１平板部３２ａよりも大きな幅を有する略四角形板状の第２平板部３２ｂとにより構成される。
【００３３】
ここで羽根１１の根元部１２に設けられた開放溝３１と、受け部２５に設けられた突起部３２との関係について説明する。突起部３２の第２平板部３２ｂの幅は、開放溝３１の第２孔部３１ｂの開口幅よりも小さく、かつ、第１孔部３１ａの開口幅よりも大きい。突起部３２の第１平板部３２ａの幅は、開放溝３１の第１孔部３１ａの開口幅よりも小さい。
【００３４】
これにより、羽根１１の根元部１２を支持部１０の受け部２５上に載置することで、突起部３２が開放溝３１の第２孔部３１ｂ内に挿入される。そして、羽根１１を径方向外向きに所定量移動させることで、突起部３２の第１平板部３２ａが開放溝３１の第１孔部３１ａ内にスライド移動される。その結果、図３に示すように、突起部３２の第２平板部３２ｂと、開放溝３１の第１孔部３１ａとが、少なくとも羽根１１の幅方向および厚さ方向において係合された状態となる。なお、このような状態において、羽根１１の根元部１２の２つの締結孔２４が受け部２５の２つの孔２６に位置決めされ、ネジ等の締結部材（図示しない）が挿入可能な状態となる。
【００３５】
図３に示すように、羽根１１の根元部１２には、２つの締結孔２４および開放溝３１とは別に貫通孔３３が設けられている。貫通孔３３は、一方の締結孔２４と開放溝３１との間に形成されており、羽根１１の長さ方向に沿って延在する長孔として形成されるとともに、羽根１１の幅方向中心よりシフトされた位置に配置されている。この貫通孔３３には落下防止用部材３４が貫通しており、長孔形状における羽根１１の長さ方向外方側の開口部分に落下防止用部材３４のループ部が貫通している。
【００３６】
ここで、落下防止用部材３４の斜視図を図４に示す。図３および図４に示すように、落下防止用部材３４は線材により形成されたループ部を有しており、例えば線材としては剛性を有する金属線材が用いられる。落下防止用部材３４は、第１のループ部３５と第２のループ部３６を有し、第１のループ部３５は第２のループ部３６よりも大きなループ部分として形成されている。第１のループ部３５は例えば１重ループに形成され、第２のループ部３６は２重ループに形成されている。それぞれのループ部３５、３６は一本の線材を折り曲げ加工することにより互いに連なって形成されている。そのため、第１のループ部３５および第２のループ部３６は、線材の非連続部分（例えば、線材同士を近接させることで実質的にループ形状が形成されているようにしている部分）をそれぞれ含んでおり、例えば外力を加えて線材を弾性変形させることにより、非連続部分を広げてループ部分を開放させることができる。
【００３７】
このような構成を有する落下防止用部材３４は、図３に示すように、羽根１１の根元部１２に取り付けられる。具体的には、第１のループ部３５を構成する線材が、羽根１１の根元部１２の貫通孔３３を貫通している。第２のループ部３６は、開放溝３１の第２孔部３１ｂの周囲に配置される。さらに羽根１１の根元部１２の内縁１２ａに設けられた切り欠き部３８に落下防止用部材３４の線材の一端が挿入されて係合している。上述したように、落下防止用部材３４は繊細の非連続部分を含んでいる。第１および第２のループ部３５、３６を構成する線材を、羽根１１の厚み方向に弾性変形させて非連続部分を広げて貫通孔３３に線材を貫通させるとともに、切り欠き部３８に線材の一端を挿入している。これにより、落下防止用部材３４を構成する線材を羽根１１の表裏面間を挟んで解除可能に羽根１１に固定することができる。すなわち、落下防止用部材３４は、弾性変形しながら羽根１１の表裏面を挟んで固定されるようなクリップ機能を有している。
【００３８】
また、図３に示すように、落下防止用部材３４が固定された羽根１１の根元部１２を受け部２５に載置させて、ネジなどの締結部材（図示しない）で取り付けた状態では、羽根１１の開放溝３１に受け部２５の突起部３２が係合されている。このような状態の突起部３２の周囲に落下防止用部材３４の第２のループ部３６が配置される。
【００３９】
このような構成を有する本実施の形態１の天井扇風機１の動作について説明する。天井扇風機１において、回転駆動部７に通電されると、回転子９が回転する。この回転により支持部１０とともに支持部１０に固定されている羽根１１が回転子９の中心回りに回動する。羽根１１において、翼部１３は、段差部１４によって回転方向前方側から後方側向かうにしたがって斜め下方に傾斜しているため、翼部１３の下面に沿って流れる空気が、天井５０側から床方向（下方）へ送風される。なお、それぞれの羽根１１は、例えば、２００〜３００回転／分程度の回転速度で回転駆動される。
【００４０】
ここで、本実施の形態１の天井扇風機１において、羽根１１の根元部１２が破損するなど、羽根１１の支持部１０への取り付け部分が破損した場合に、落下防止用部材３４により羽根１１の落下を防止する機能・動作について説明する。
【００４１】
天井扇風機１の運転中において、羽根１１と支持部１０との取り付け部分に破損などが生じた場合には、遠心力により羽根１１の根元部１２が、支持部１０の受け部２５より外方向（径方向外向き）に離脱しようとする。羽根１１が径方向外向きに移動を開始すると、突起部３２と係合している開放溝３１が、受け部２５の突起部３２に対してスライド移動する。これにより、突起部３２の周囲に配置されている落下防止用部材３４の第２のループ部３６が突起部３２と接触し、さらにスライド移動が進むことにより、第２のループ部３６が突起部３２に係合する（引っかかった状態となる）。
【００４２】
さらに羽根１１が支持部１０から径方向外向きに離れることにより、落下防止用部材３４のそれぞれのループ部３５、３６が変形するとともに、羽根１１の根元部１２の開放溝３１より突起部３２が離脱する（開放溝３１と突起部３２との係合が解除される）。羽根１１が遠心力によりさらに離れ、羽根１１の根元部１２の内縁１２ａが、支持部１０の外縁２５ａよりも径方向外側に位置した状態となる（図５参照）。一方、落下防止用部材３４には、羽根１１の遠心力などが加わり大きく変形することになるが、第１のループ部３５において貫通孔３３を貫通しており、また第２のループ部３６は突起部３２に係合した状態となっている。これにより、羽根１１は、落下防止用部材３４のループ部３５、３６を介して支持部１０に保持された状態となり、羽根１１の落下を防止できる。
【００４３】
このような状態で天井扇風機１の運転が継続されると、図６に示すように、落下防止用部材３４を介して支持部１０に保持された状態の羽根１１は、回転による遠心力により水平状態の姿勢を保とうとする。しかしながら、羽根１１の根元部１２の内縁１２ａが支持部１０の外縁２５ａよりも外側に位置しているため、羽根１１の回動姿勢が不安定な状態となる。例えば、羽根１１の回転方向の前方側端が後方側端よりも大きく下がるように傾斜するなどして、回動する羽根１１の翼部１３に大きな抵抗が加わり、羽根１１の挙動が不安定な状態となる。よって、天井扇風機１の運転が継続されるような場合であっても、羽根１１の不安定な挙動をユーザが明確に認識でき、羽根１１に破損等が生じていることをユーザが把握できる。
【００４４】
また、羽根１１の根元部１２の幅方向中心からシフトとした位置に、落下防止用部材３４の線材が貫通する貫通孔３３が設けられていることにより、落下防止用部材３４により保持された羽根１１において確実に傾斜姿勢が生じるようにすることができる。
【００４５】
また、天井扇風機１の運転が停止した状態では、図７に示すように、羽根１１の根元部１２の内縁１２ａが支持部１０の外縁２５ａよりも外側に位置していることにより、羽根１１の径方向外側の端縁が大きく垂れ下がり、略鉛直に近い姿勢となる。よって、天井扇風機１の運転が停止した状態においても、羽根１１の略鉛直に近い姿勢をユーザが明確に認識でき、羽根１１に破損等が生じていることをユーザが把握できる。
【００４６】
また、貫通孔３３を羽根１１の長さ方向に沿って延在する長孔形状としている。これにより、羽根１１の内縁１２ａが支持部１０の外縁２５ａよりも外側に位置することができるような離脱距離（ストローク）を確保して、落下防止用部材３４により羽根１１を保持できる。
【００４７】
また、落下防止用部材３４が羽根１１に取り付けられた状態において、第２のループ部３６が開放溝３１の第２孔部３１ｂの周囲に配置されている。これにより、羽根１１を支持部１０に取り付ける際に、受け部２５の突起部３２を羽根１１の開放溝３１の第２孔部３１ｂに挿入させるだけで、突起部３２の周囲に第２のループ部３６が配置された状態とすることができる。よって、羽根１１を取り付けるための通常の作業を行うことで、落下防止用部材３４が支持部１０の係合部（突起部３２）に係合可能な状態とすることができ、作業性が向上するとともに、係合忘れなどを防ぐことができる。
【００４８】
また、このように突起部３２と係合される開放溝３１は、羽根１１の根元部１２の内縁１２ａにおいて開放された形状とされている。これにより、羽根１１に破損などが生じた場合に、突起部３２に沿って開放溝３１をスライド移動させ、その後、突起部３２と開放溝３１との係合を解除させることで、羽根１１の内縁１２ａを支持部１０の外縁２５ａよりも外側に位置させることができる。
【００４９】
また、落下防止用部材３４が線材により形成されたループ部３５、３６を有するとともに、線材が弾性変形することで羽根１１の表裏面間を挟むように固定されるようなクリップ機能を備えている。これにより、落下防止用部材３４を他の部材を用いることなく羽根１１に取り付けることができる。例えば、工場出荷時において、落下防止用部材３４を羽根１１に対して適切な位置に取り付けておくことで、天井扇風機１を組み立てる際に、落下防止用部材３４を意識することなく組み立て作業を行うことができる。よって、落下防止用部材３４の取り付け忘れなどを防ぐことができる。
【００５０】
（実施の形態２）
次に、本発明の実施の形態２にかかる天井扇風機について説明する。本実施の形態２の天井扇風機では、線材により形成される落下防止用部材の形態が、上記実施の形態１の落下防止用部材３４と異なる形態を有している。この落下防止用部材の形態の相違点を中心に説明する。なお、本実施の形態２の天井扇風機において、実施の形態１の天井扇風機１が備える構成部材と同じ構成部材には、同じ参照番号を付してその説明を省略する。
【００５１】
本実施の形態２の天井扇風機５１における支持部１０への羽根１１の取り付け部分の部分拡大図を図８に示す。また、落下防止用部材５２の外観図を図９に示す。
【００５２】
図８および図９に示すように、本実施の形態２の天井扇風機５１では、落下防止用部材５２を形成する線材の径を太くし、ループ部の変形が起こり難いようにされている。落下防止用部材５２は、第１のループ部５３と第２のループ部５４とを有するように、１本の線材を折り曲げ加工することにより形成されている。なお、第１および第２のループ部５３、５４は、共に１重のループとして形成されている。
【００５３】
第１のループ部５３は、羽根１１の長さ方向に沿って長いループ形状を有し、その長手方向における羽根１１の径方向外側の端部には、線材を湾曲させた曲がり部５３ａが設けられている。
【００５４】
第２のループ部５４は、略三角形状のループ形状を有し、略三角形状の底辺部分５４ａが羽根１１の幅方向に沿って配置されるとともに、底辺部分に対向する頂部分５４ｂが羽根１１の根元部１２の内縁１２ａ側に向かって配置されている。第２のループ部５４は羽根１１の幅方向におけるその開口幅（線材で囲まれたループ部分の幅）が、頂部分５４ｂに近づくにしたがって狭くなっている。また、第２のループ部５４の頂部分５４ｂは、線材を湾曲させた曲がり部５４ｂともなっている。
【００５５】
羽根１１の根元部１２の内縁１２ａには切り欠き部５５が設けられており、この切り欠き部５５内に落下防止用部材５２の線材の一端が挿入されて係合している。羽根１１の根元部１２において、貫通孔３３と切り欠き部５５とは開放溝３１を挟んで配置されている。そのため、羽根１１に落下防止用部材５２が取り付けられた状態において、貫通孔３３と切り欠き部５５とにおいて、羽根１１の裏面側（下面側）と線材とが接触して係合している。それとともに、貫通孔３３と切り欠き部５５との間に位置する開放溝３１の第２孔部３１ｂの周囲において、第２のループ部５４の線材が羽根１１の表面側（上面側）に接触している。これにより、落下防止用部材５２の線材を弾性変形させながら、羽根１１の表裏面を挟むようにして（すなわち、クリップ機能を活用して）、落下防止用部材５２を羽根１１に安定して取り付けることができる。
【００５６】
図８に示すように、羽根１１の落下防止用部材５２が取り付けられた状態において、第１のループ部５３の線材は貫通孔３３を貫通しており、長孔形状の径方向外側の開口部分に線材が貫通している。また、第２のループ部５４は突起部３２および開放溝３１の第２孔部３１ｂの周囲に配置される。また、第２のループ部５４の内側において、突起部３２は略三角形状の底辺部分５４ａ近傍に位置されており、頂部分５４ｂと突起部３２との間には距離Ｌ１が確保されている。また、第１のループ部５３が貫通する貫通孔３３の長手方向の開口長さとして距離Ｌ２が確保されている。
【００５７】
ここで、本実施の形態２の天井扇風機５１において、羽根１１の根元部１２が破損するなど、羽根１１の支持部１０への取り付け部分が破損した場合に、落下防止用部材５２により羽根１１の落下を防止する機能・動作について説明する。
【００５８】
天井扇風機５１の運転中において、羽根１１と支持部１０との取り付け部分に破損などが生じた場合には、遠心力により羽根１１の根元部１２が、支持部１０の受け部２５より外方向（径方向外向き）に離脱しようとする。羽根１１が径方向外向きに移動を開始すると、突起部３２と係合している開放溝３１が、受け部２５の突起部３２に対してスライド移動する。一方、第２のループ部第５４の内側において、頂部分５４ｂと突起部３２との間には距離Ｌ１が確保されている。そのため、突起部３２に対して開放溝３１が距離Ｌ１スライド移動して初めて落下防止用部材５２の第２のループ部５４が突起部３２と接触し、両者が係合することになる。このとき、第２のループ部５４は略三角形状を有し、頂部分５４ｂに近づくにしたがってその開口幅が狭くなるため、突起部３２と第２のループ部５４の頂部分５４ｂとが係合しやすくなる。
【００５９】
さらに羽根１１が支持部１０から径方向外向きに離れることにより、落下防止用部材５２の第１のループ部５３の曲がり部５３ａが、長孔形状の貫通孔３３の長手方向に相対的にスライド移動する。距離Ｌ２スライド移動すると、第１のループ部５３の曲がり部５３ａが貫通孔３３における羽根１１の径方向内側の端部に接触する。この状態で、羽根１１の根元部１２の内縁１２ａが、支持部１０の外縁２５ａよりも径方向外側に位置した状態となる（図１０参照）。この状態において、第１のループ部５３は貫通孔３３を貫通しており、また第２のループ部５４は突起部３２に係合した状態となっている。これにより、羽根１１は、落下防止用部材５２のループ部５３、５４を介して支持部１０に保持された状態となり、羽根１１の落下を防止できる。
【００６０】
本実施の形態２の落下防止用部材５２は、線材の径を太くし、ループ部の変形が起こり難いようにされている。しかしながら、第２のループ部５４の頂部分５４ｂと突起部３２との間には距離Ｌ１が確保されており、第１のループ部５３が貫通する貫通孔３３の長手方向の開口長さとして距離Ｌ２が確保されている。この距離Ｌ１と距離Ｌ２との合計距離が、径方向外側に羽根１１が移動するストロークとなる。このようにストローク（すなわちＬ１＋Ｌ２）を設定することで、落下防止用部材５２の線材に変形が生じない場合であっても、羽根１１の根元部１２の内縁１２ａが支持部１０の外縁２５ａよりも外側に位置するようにすることができる。
【００６１】
落下防止用部材５２において、第１のループ部５３に曲がり部５３ａを設け、この曲がり部５３ａにて貫通孔３３の内縁１２ａと線材を接触させることで、線材に対する応力集中を抑制できる。また、第２のループ部５４の頂部分５４ｂを曲がり部として、突起部３２に接触させることで、線材に対する応力集中を抑制できる。
【００６２】
本実施に形態２の天井扇風機５１においても、運転時および停止時において万が一羽根が破損した場合に、破損したことをユーザが明確に認識することができる点については、上記実施の形態１の天井扇風機１と同様である。本実施の形態２の落下防止用部材５２を用いることで、万が一羽根１１が破損した場合であっても、より高い剛性を有する落下防止用部材５２を用いて確実に羽根１１を保持することができる。
【００６３】
（実施の形態３）
次に、本発明の実施の形態３にかかる天井扇風機について説明する。本実施の形態３の天井扇風機では、線材により形成される落下防止用部材の形態が、上記実施の形態１および２の落下防止用部材３４、５２と異なる形態を有している。この落下防止用部材の形態の相違点を中心に説明する。なお、本実施の形態３の天井扇風機において、実施の形態１および２の天井扇風機１、５１が備える構成部材と同じ構成部材には、同じ参照番号を付してその説明を省略する。
【００６４】
本実施の形態３の天井扇風機６１における支持部１０への羽根１１の取り付け部分の部分拡大図を図１１に示す。また、羽根１１への落下防止用部材６２の取り付け状態の外観図を図１２に示し、落下防止用部材６２の外観図を図１３に示す。
【００６５】
図１１〜図１３に示すように、本実施の形態３の天井扇風機６１では、実施の形態２の落下防止用部材５２と同様に、落下防止用部材６２を形成する線材の径を太くし、ループ部の変形が起こり難いようにされている。落下防止用部材６２は、第１のループ部６３と第２のループ部６４とを有するように、１本の線材を折り曲げ加工することにより形成されている。なお、第１および第２のループ部６３、６４は、共に１重のループとして形成されている。また、第２のループ部６４は、実施の形態２の落下防止用部材５２の第２のループ部５４と同じ形状を有している。
【００６６】
図１３に示すように、第１のループ部６３は、羽根１１の長さ方向に沿って長いループ形状を有し、その長手方向における羽根１１の径方向外側の端部には、線材を湾曲させた曲がり部６３ａが設けられている。また、第１のループ部６３のループ形状における羽根１１の径方向内側の端縁は、径方向と概ね交差する方向（例えば、羽根の幅方向）に向けて線材が湾曲された曲がり部６３ｂが設けられている。線材はさらに羽根１１の幅方向において曲がり部６３ｂから第２のループ部６４を越えた位置にまで延在し、その位置において羽根１１の径方向外側に向けて湾曲された曲がり部６３ｃが設けられている。曲がり部６３ｃから径方向外側に向かった端部が羽根１１と線材との係合部６３ｄとなっている。
【００６７】
羽根１１の根元部１２の内縁１２ａに設けられた切り欠き部５５内に、落下防止用部材６２の線材の一端である係合部６３ｄが挿入されて係合している。切り欠き部５５内に係合部６３ｄを挿入する際には、羽根１１の幅方向において第２のループ６４に近づけるように、直線状の部分である係合部６３ｄを弾性変形させながら挿入することにより行われる。
【００６８】
また、羽根１１の裏面には、羽根１１の長手方向に沿って延在する複数の溝部１１ａ（羽根１１の表面側から見た凸部、裏面側から見た場合の凹部）が設けられている。切り欠き部５５は、羽根１１の長手方向に沿って延在する溝部１１ａに沿って形成されている。そのため、切り欠き部５５に対して表面側から裏面側に向けて挿入された係合部６３ｄは、羽根１１の裏面側において溝部１１ａ内に沿って配置されるとともに溝部１１ａの内面と係合されている。
【００６９】
また、長孔である貫通孔３３も、羽根１１の長手方向に沿って延在する溝部１１ａに沿って形成されている。そのため、貫通孔３３に挿入された線材の直線部分（曲がり部６３ａと６３ｂの間の部分）は、羽根１１の裏面側の溝部１１ａ内に配置されるとともに溝部１１ａの内面と係合されている。
【００７０】
このように、落下防止用部材６２の線材における羽根１１との係合部分を、羽根１１に形成された溝部１１ａ内に沿って配置させて係合させることにより、線材の弾性によるクリップ機能を高めることができる。それとともに、羽根１１の幅方向における落下防止用部材６２の位置ずれを抑制して、位置決め精度を高めることができる。
【００７１】
また、図１１および図１２に示すように、羽根１１の表面には、幅方向に延在するようにシールテープ６５が貼り付けられており、シールテープ６５の一端は落下防止用部材６２の第２のループ６４の線材にも貼り付けられている。これにより、羽根１１の長手方向における落下防止用部材６２の位置ずれを抑制することができる。また、羽根１１の幅方向において複数の溝部１１ａの凹凸状の表面に沿うように、シールテープ６５を貼り付けることにより、シールテープ６５を剥がれにくくすることができる。一方、落下防止用部材６２に大きな外力が付加され、羽根１１の長手方向に位置ずれが生じた場合には、シールテープ６５が破れることになる。そのため、シールテープ６４が破れていないかどうかを確認することで、落下防止用部材６２が正しい位置に取り付けられているかどうかを判断することができる。
【００７２】
本実施の形態３の天井扇風機６１において、羽根１１の根元部１２が破損するなど、羽根１１の支持部１０への取り付け部分が破損した場合に、落下防止用部材６２により羽根１１の落下を防止する機能・動作については、上記実施の形態２と同様である（図１４参照）。よって、本実施に形態３の天井扇風機６１において、運転時および停止時において万が一羽根が破損した場合に、破損したことをユーザが明確に認識することができる。さらに、本実施の形態３の落下防止用部材６２を用いることで、羽根１１に対して落下防止用部材６２を位置決め精度よく取り付けることができる。また、落下防止用部材６２のクリップ機能を高めることができ、羽根１１への取り付けを簡単なものとすることができる。
【００７３】
上述の実施の形態の説明では、支持部１０の受け部２５の外縁２５ａ付近に突出する突起部３２に落下防止用部材３４の第２のループ部３６が係合する場合を例として説明したが、突起部３２の形態はこのような場合についてのみ限定されない。支持部１０において、第２のループ部３６が係合可能な係合部が設けられていればよく、係合部の形態としては突起部３２以外の様々な構成を採用してもよい。
【００７４】
また、羽根１１の根元部１２において、落下防止用部材３４の線材が貫通する貫通孔３３が、羽根１１の幅方向中心よりシフト（すなわち偏心）して配置されているような場合を例としたが、貫通孔の形成位置はこのような形態のみに限定されない。例えば、羽根１１の幅方向中心に貫通孔が配置されているような場合であってもよい。このような場合であっても、羽根１１が破損した際に、羽根１１の根元部１２の内縁１２ａを支持部１０の外縁２５ａよりも外側に位置させることで、羽根１１の挙動をある程度不安定な状態とすることができる。
【００７５】
また、落下防止用部材が第１のループ部と第２のループ部との２つのループ部を有する場合を例としたが、ループ部は１つのみ設けられている場合であってもよい。
【００７６】
なお、上記様々な実施の形態のうちの任意の実施形態を適宜組み合わせることにより、それぞれの有する効果を奏するようにすることができる。
【００７７】
本発明は、添付図面を参照しながら好ましい実施の形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【符号の説明】
【００７８】
１  天井扇風機
２  吊下部
３  本体部
４  連結部
５  ジョイント部
６  パイプ部
７  回転駆動部
８  固定子
９  回転子
１０  支持部
１１  羽根
１２  根元部
１２ａ  内縁
１３  翼部
１４  段差部
２２  本体カバー
２３  固定部
２４  締結孔
２５  受け部
２５ａ  外縁（外周端縁）
２６  孔（受け部２５の孔）
３１  開放溝
３１ａ  第１孔部
３１ｂ  第２孔部
３２  突起部
３２ａ  第１平板部
３２ｂ  第２平板部
３３  貫通孔
３４  落下防止用部材
３５  第１のループ部
３６  第２のループ部
３８  切り欠き部
５０  天井
５１  天井扇風機
５２  落下防止用部材
５３  第１のループ部
５３ａ  曲がり部
５４  第２のループ部
５４ａ  底辺部分
５４ｂ  頂部分（曲がり部）
５５  切り欠き部
６１  天井扇風機
６２  落下防止用部材
【図１】
2016051665.tif 000003
【図２】
2016051665.tif 000004
【図３】
2016051665.tif 000005
【図４】
2016051665.tif 000006
【図５】
2016051665.tif 000007
【図６】
2016051665.tif 000008
【図７】
2016051665.tif 000009
【図８】
2016051665.tif 000010
【図９】
2016051665.tif 000011
【図１０】
2016051665.tif 000012
【図１１】
2016051665.tif 000013
【図１２】
2016051665.tif 000014
【図１３】
2016051665.tif 000015
【図１４】
2016051665.tif 000016
【図１５】
2016051665.tif 000017
【国際調査報告】
2016051665.tif 000018
2016051665.tif 000019
2016051665.tif 000020